(57)【要約】【課題】電線の端部を容易に支持できるようにし、作業の効率性および安全性を向上させる。【解決手段】絶縁用器具１１は、絶縁シート１３と取付クリップ２１とを備えた器具本体１２と、器具本体１２にフレキシブルアーム４１を介して連結された支持クリップ３１とを備えている。器具本体１２は例えば電柱の引下線に取り付けられる。支持クリップ３１は、例えば切断した電線の端部を支持する。フレキシブルアーム４１は、自在に湾曲可能であると共に、湾曲した状態を保持することができるので、作業者は支持クリップ３１の姿勢や向きを任意に変えることができる。これにより、支持クリップ３１を用いて、切断した電線の端部を容易に支持することができる。【選択図】図１
2015023704.tif 000002
【特許請求の範囲】
【請求項１】
絶縁材料によりシート状に形成された絶縁シートと、前記絶縁シートで電線の一部を挟みまたは包囲した状態で前記電線の一部および前記絶縁シートを共に把持することにより前記絶縁シートを前記電線に取り付ける取付部とを有する器具本体と、
前記絶縁シートの外側で前記電線の他の部分または他の電線を着脱可能に支持する支持部と、
前記支持部を前記器具本体に移動可能に連結する連結部とを備えていることを特徴とする絶縁用器具。
【請求項２】
前記支持部は、前記電線の他の部分または前記他の電線を把持する把持部と、前記把持部を開く操作を行うための操作部とを備えていることを特徴とする請求項１に記載の絶縁用器具。
【請求項３】
前記操作部は、絶縁ヤットコで把持して前記操作を行うことが可能な大きさの面積を有する操作面を備えていることを特徴とする請求項２に記載の絶縁用器具。
【請求項４】
前記支持部はクリップであることを特徴とする請求項１ないし３のいずれかに記載の絶縁用器具。
【請求項５】
前記連結部は、湾曲可能であり、かつ湾曲状態を保持可能な棒状または管状の部材により形成されていることを特徴とする請求項１ないし４のいずれかに記載の絶縁用器具。
【請求項６】
前記連結部はフレキシブルアームであることを特徴とする請求項５に記載の絶縁用器具。
【発明の詳細な説明】
【技術分野】
【０００１】
本発明は、間接活線作業を行う際に感電防止のために電線に取り付ける絶縁用器具に関する。
【背景技術】
【０００２】
現在、電柱に支持された変圧器またはカットアウトの取替作業を行う際、作業者は、引下線を絶縁シート（例えば特許文献１の図１４参照）で挟んで覆い、当該引下線と絶縁シートとを間接活線作業用のクリップで留める。その後、当該引下線を停電させ、変圧器またはカットアウトを取り替える。
【０００３】
ここで、この作業について具体的に説明する。高圧側配電線、低圧側配電線、変圧器、カットアウト等を支持する電柱においては、例えば、電柱の頂部に設けられた腕金に高圧側配電線が支持され、電柱の頂部よりも低い位置に低圧側配電線が支持され、電柱において低圧側配電線が支持されている位置よりもやや低い位置に変圧器およびカットアウトが支持されている。また、高圧側配電線から分岐した引下線は、電柱の頂部に設けられた腕金に一旦支持された後、さらに変圧器に向けて下方へ伸び、続いて、変圧器およびカットアウトが支持された位置に設けられた腕金に支持され、その後、カットアウトを介して変圧器に接続されている。以下、説明の便宜上、高圧側配電線から変圧器へ伸びる引下線の経路において、高圧側配電線から引下線が分岐する位置をＰ１、電線頂部の腕金に当該引下線が支持されている位置をＰ２、変圧器およびカットアウトが支持された位置に設けられた腕金に当該引下線が支持されている位置をＰ３とする（図４（Ａ）参照）。
【０００４】
電柱に支持された変圧器またはカットアウトの取替作業を行う際、作業者は、まず、引下線において位置Ｐ２と位置Ｐ３との間に絶縁シートを取り付ける。続いて、作業者は、引下線において位置Ｐ１と位置Ｐ２との間を切断し（またはコネクタがある場合にはそれを取り外し）、当該引下線を停電させる。引下線において位置Ｐ１と位置Ｐ２との間が切断されたことにより、引下線の上端側が位置Ｐ２から垂れ下がり、当該引下線の上端部がぶらぶらと自由に動くことができる状態となる。安全を確保するため、引下線の上端部が自由に動く状態を放置することはできない。そこで、作業者は、垂れ下がった引下線の上端部を間接活線作業用のクリップで例えば絶縁シートの縁部に留める。これにより、当該引下線の上端部が絶縁シートの縁部に固定される。その後、作業者は変圧器またはカットアウトを取り替える。なお、作業者は、上述した作業において、絶縁シートの引下線への取付、引下線の切断（コネクタの取り外し）、切断した引下線の上端部の固定を絶縁ヤットコを用いて行う。
【先行技術文献】
【特許文献】
【０００５】
【特許文献１】特開２００８−２０６２５５号公報
【発明の概要】
【発明が解決しようとする課題】
【０００６】
上述したように、変圧器またはカットアウトの取替作業において、作業者は、切断した引下線の上端部をクリップを用いて絶縁シートの縁部に留める。しかし、引下線の位置Ｐ２と位置Ｐ３との間に取り付けられた絶縁シートの向きによっては、この作業を効率良く行うことができず、また、作業の十分な安全性を確保することが難しいという問題がある。
【０００７】
すなわち、絶縁シートの縁部が作業者の方を向いている場合には、作業者は、引下線の上端部をクリップで挟みつつ、クリップを前方へ移動させ、クリップを絶縁シートの縁部に留めるだけで作業を容易に完遂することができる。
【０００８】
ところが、絶縁シートの縁部が作業者に向いていない場合には、作業者は、引下線の上端部をクリップで挟みながら、クリップまたは絶縁シートの向きを変えなければならない。絶縁ヤットコを用いての作業は動作が制限されるため、引下線の上端部をクリップで挟む動作と、クリップまたは絶縁シートの向きを変える動作とを同時にまたは連続的に行うことは容易でない。このため、作業者は、試行錯誤を繰り返しながら作業を進めることとなり、作業効率が悪い。また、作業者は、作業の途中、クリップで絶縁シートの縁部を把持し損ね、クリップを落下させてしまうことがあり、作業の安全性が不十分である。
【０００９】
本発明は例えば上述した問題に鑑みなされたものであり、本発明の課題は、電線の端部を容易に支持することができ、これにより作業の効率性および安全性を向上させることができる絶縁用器具を提供することにある。
【課題を解決するための手段】
【００１０】
上記課題を解決するために、本発明の第１の絶縁用器具は、絶縁材料によりシート状に形成された絶縁シートと、前記絶縁シートで電線の一部を挟みまたは包囲した状態で前記電線の一部および前記絶縁シートを共に把持することにより前記絶縁シートを前記電線に取り付ける取付部とを有する器具本体と、前記絶縁シートの外側で前記電線の他の部分または他の電線を着脱可能に支持する支持部と、前記支持部を前記器具本体に移動可能に連結する連結部とを備えていることを特徴とする。
【００１１】
また、本発明の第２の絶縁用器具は、上述した本発明の第１の絶縁用器具において、前記支持部は、前記電線の他の部分または前記他の電線を把持する把持部と、前記把持部を開く操作を行うための操作部とを備えていることを特徴とする。
【００１２】
また、本発明の第３の絶縁用器具は、上述した本発明の第２の絶縁用器具において、前記操作部は、絶縁ヤットコで把持して前記操作を行うことが可能な大きさの面積を有する操作面を備えていることを特徴とする。
【００１３】
また、本発明の第４の絶縁用器具は、上述した本発明の第１ないし第３のいずれかの絶縁用器具において、前記支持部はクリップであることを特徴とする。
【００１４】
また、本発明の第５の絶縁用器具は、上述した本発明の第１ないし第４のいずれかの絶縁用器具において、前記連結部は、湾曲可能であり、かつ湾曲状態を保持可能な棒状または管状の部材により形成されていることを特徴とする。
【００１５】
また、本発明の第６の絶縁用器具は、上述した本発明の第５の絶縁用器具において、前記連結部はフレキシブルアームであることを特徴とする。
【発明の効果】
【００１６】
本発明によれば、電線の端部を容易に支持することができ、作業の効率性および安全性を向上させることができる。
【図面の簡単な説明】
【００１７】
【図１】本発明の第１の実施形態による絶縁用器具を示す説明図である。
【図２】図１中の絶縁用器具の一部を拡大して示す説明図である。
【図３】図２中のＩＩＩーＩＩＩ方向から見た絶縁用器具を示す説明図である。
【図４】高圧側配電線、低圧側配電線、変圧器、カットアウト等が支持された電柱を示す説明図である。
【図５】本発明の第１の実施形態による絶縁用器具を電柱の引下線に取り付け、切断した引下線の上端部を当該絶縁用器具により支持した状態を示す説明図である。
【図６】本発明の第２の実施形態による絶縁用器具を示す説明図である。
【図７】本発明の第３の実施形態による絶縁用器具を示す説明図である。
【発明を実施するための形態】
【００１８】
以下、本発明の実施の形態について図面を参照しながら説明する。図１ないし図３は、本発明の第１の実施形態による絶縁用器具を示している。
【００１９】
図１において、本発明の第１の実施形態による絶縁用器具１１は、間接活線作業を行う際に感電防止のために電線に取り付ける器具である。絶縁用器具１１は器具本体１２を備えている。器具本体１２は、絶縁シート１３と、一対の骨材１４（図３参照）と、複数の取付クリップ２１とを備えている。また、絶縁用器具１１は、支持クリップ３１と、支持クリップ３１を器具本体１２と連結するフレキシブルアーム４１とを備えている。
【００２０】
図２に示すように、絶縁シート１３は、絶縁性、柔軟性および耐久性を有する例えば樹脂材料により形成されている。また、絶縁シート１３は長方形のシート状に形成され、その短辺方向の中間部に位置し、長辺方向に伸びる折り線を基準に２つに折られている。図２は２つに折られた状態の絶縁シート１３を示しており、図２中の左側が絶縁シート１３の縁側であり、開いており、右側が折れ線側であり、閉じている。
【００２１】
各骨材１４は、絶縁性を有し、絶縁シート１３をその長辺方向に弛まないように保持できる程度に硬質な材料、例えばプラスティックファイバ等により形成されている。また、各骨材１４は、長尺な棒状に形成され、絶縁シート１３の長辺方向に伸長している。また、一対の骨材１４は、絶縁シート１３の両側の縁部に例えば接着材等によりそれぞれ固定されている。図２では、絶縁シート１３は２つに折られた状態であり、絶縁シート１３の一方の側の縁部に固定された骨材１４のみが図示されている。絶縁シート１３のもう一方の側の縁部に固定された骨材１４は、図２中に図示されている骨材１４のちょうど裏側に位置している。すなわち、絶縁シート１３が２つに折られた状態では、一対の骨材１４は、両者の位置が互いに一致しており、互いに対向するように配置されている（図３参照）。
【００２２】
各取付クリップ２１は、開閉可能であり、電線を挟んで把持することができる把持部２２と、把持部２２を開く操作を行うための操作部２３とを備えている。また、各取付クリップ２１は、図３に示すように、絶縁材料により形成された一対のクリップ片２４の長さ方向略中間部を互いに回動可能に連結し、かつ、把持部２２を閉じる方向に付勢するばね（図示せず）をクリップ片２４間に設けることにより構成されている。また、操作部２３には、図２に示すように、絶縁ヤットコで把持して把持部２２を開く操作を行うことができるように、大きな面積を持った操作面２５が形成されている。
【００２３】
また、各取付クリップ２１は、２つに折られた絶縁シート１３を把持部２２で挟み、その状態で絶縁シート１３の外面に固定されている。また、図３に示すように、各取付クリップ２１の把持部２２の先端部には、凹状の嵌合部２６が形成され、嵌合部２６内には骨材１４が嵌め込まれ、固定されている。また、各取付クリップ２１の把持部２２の内側には凹部２７が形成されている。凹部２７は、把持部２２で絶縁シート１３と共に電線を挟んだときに、電線が把持部２２から脱落するのを防止する機能を有している。
【００２４】
図１に示すように、本実施形態おいては、３つの取付クリップ２１が絶縁シート１３の長辺方向において等間隔に配置されている。なお、取付クリップ２１の個数や配置間隔は、例えば絶縁用器具のサイズ等に応じて適宜変更することができ、取付クリップ２１の個数を１つとしてもよい。また、各取付クリップ２１を絶縁シート１３から取り外せるようにしてもよく、例えば各取付クリップ２１を絶縁シート１３にマジックテープ（登録商標）等により着脱可能に固定してもよい。また、各取付クリップ２１が取付部の具体例である。
【００２５】
一方、図２において、支持クリップ３１は、開閉可能であり、電線を挟んで把持することができる把持部３２と、把持部３２を開く操作を行うための操作部３３とを備えている。また、支持クリップ３１は、図３に示すように、絶縁材料により形成された一対のクリップ片３４の長さ方向略中間部を互いに回動可能に連結し、かつ、把持部３２を閉じる方向に付勢するばね（図示せず）をクリップ片３４間に設けることにより構成されている。
【００２６】
また、支持クリップ３１の操作部３３には、図２に示すように、絶縁ヤットコで把持して把持部３２を開く操作を行うことができるように、広い面積を持った操作面３５が形成されている。例えば、操作面３５は、絶縁ヤットコの先端に設けられた挟み部（物体を挟んで把持する部分）の先端面よりも大きい面積を有している。また、支持クリップ３１の把持部３２の内側には凹部３６が形成されている。凹部３６は、把持部３２で電線を挟んだときに、電線が把持部３２から脱落するのを防止する機能を有している。このような構成を有する支持クリップ３１は、後述するように、切断された引下線の上端部を絶縁シート１３の外側で着脱可能に支持することができる。なお、支持クリップ３１は支持部の具体例である。
【００２７】
フレキシブルアーム４１は、湾曲可能であり、かつ湾曲状態を保持可能な棒状または管状の部材である。フレキシブルアーム４１は、例えば、ステンレス等の金属材料により形成されたインターロックチューブの如き部材を用いて形成することができる。フレキシブルアーム４１の一端側は支持クリップ３１の一部、例えば操作部３３の端部に、ねじ止め等の手段により固定されている。また、フレキシブルアーム４１の他端側は、器具本体１２の一部、例えば、器具本体１２の中間部に配置された取付クリップ２１の操作部２３の端部に、ねじ止め等の手段により固定されている。フレキシブルアーム４１はその長さ方向のあらゆる部分が様々な方向に様々な角度で曲がるので、支持クリップ３１は器具本体１２に対し、自在に移動することができ、具体的には自在に揺動し、かつ回動することができ、自由にその位置、姿勢および向きを変えることができる。なお、フレキシブルアーム４１は連結部の具体例である。
【００２８】
図４は、高圧側電線、低圧側電線、変圧器、カットアウト等を支持する電柱を示している。絶縁用器具１１は、例えば、図４に示すような電柱に支持された変圧器またはカットアウトの取替作業を行う際に用いられる。
【００２９】
図４に示す電柱５１において、その頂部の腕金５２には、３本の高圧側配電線５３Ａ、５３Ｂ、５３Ｃがそれぞれ支持されている。また、腕金５２の下側には、４本の低圧側配電線５４Ａ、５４Ｂ、５４Ｃ、５４Ｄがそれぞれ支持されている。さらに、その下側には、変圧器５５およびカットアウト５６が支持されている。
【００３０】
また、図４（Ａ）中の最も右側に位置する高圧側配電線５３Ａからは引下線５７Ａが分岐している。当該引下線５７Ａは、位置Ｐ１において高圧側配電線５３Ａから分岐し、位置Ｐ２において腕金５２にがいし５８を介して支持され、その後、下方に直線状に伸長し、位置Ｐ３において、変圧器５５と同等の高さ位置に設けられた腕金５９にがいし６０を介して支持され、その後、カットアウト５６を介して変圧器５５に接続されている。図４において、他の２本の高圧側配電線５３Ｂ、５３Ｃからも引下線５７Ｂ、５７Ｃがそれぞれ分岐し、これらの引下線５７Ｂ、５７Ｃも、引下線５７Ａと同様に腕金５２、５９に支持され、カットアウト５６を介して変圧器５５に接続されている。
【００３１】
図５は、図４に示す電柱５１において、絶縁用器具１１を用いて変圧器５５またはカットアウト５６の取替作業を行う様子を示している。
【００３２】
図５において、作業者は、電柱５１に支持された変圧器５５またはカットアウト５６の取替作業を例えば次のような手順で行う。
【００３３】
すなわち、作業者の安全を確保するために３本の引下線５７Ａ、５７Ｂ、５７Ｃにそれぞれ絶縁用器具１１を取り付ける必要があるので、作業者は、まず、３つの絶縁用器具１１を用意する。
【００３４】
続いて、作業者は、３つの絶縁用器具のうちの１つを引下線５７Ａに取り付ける。具体的には、当該絶縁用器具１１に設けられた３つの取付クリップ２１のうち、例えば絶縁用器具１１の上部に設けられた取付クリップ２１の操作部２３を絶縁ヤットコで把持し、当該絶縁用器具１１を持ち上げ、引下線５７Ａの位置Ｐ２と位置Ｐ３との間へ運ぶ。続いて、作業者は、絶縁ヤットコで当該取付クリップ２１の操作部２３を操作し、当該取付クリップ２１の把持部２２を開く。当該取付クリップ２１の把持部２２が開くと、絶縁シート１３の上部が開く。作業者は、絶縁シート１３の上部の開いた部分に、引下線５７Ａにおいて位置Ｐ２と位置Ｐ３との間の部分を挟み、その後、絶縁ヤットコを操作して当該取付クリップ２１の把持部２２を閉じる。当該取付クリップ２１が閉じると、絶縁シート１３の上部が閉じる。この結果、絶縁用器具１１の上部が引下線５７Ａの位置Ｐ２と位置Ｐ３との間に留まる。続いて、作業者は、同様の手順で、当該絶縁用器具１１の中間部および下部にそれぞれ設けられた取付クリップ２１を絶縁ヤットコで順次操作し、当該絶縁用器具１１の絶縁シート１３の中間部および下部に引下線５７Ａの位置Ｐ２と位置Ｐ３との間の部分をそれぞれ挟み、当該絶縁用器具１１の中間部および下部を引下線５７Ａの位置Ｐ２と位置Ｐ３との間の部分にそれぞれ留める。これにより、絶縁用器具１１は、引下線５７Ａにおいて位置Ｐ２と位置Ｐ３との間に図５に示すように取り付けられる。
【００３５】
続いて、図５において図示していないが、作業者は、絶縁用器具１１を引下線５７Ａに取り付けた手順と同様の手順で、他の２つの絶縁用器具１１を引下線５７Ｂ、５７Ｃに順次取り付ける。この結果、引下線５７Ａ、５７Ｂ、５７Ｃの絶縁が強化され、作業者の安全が確保される。
【００３６】
続いて、作業者は、引下線５７Ａの位置Ｐ１と位置Ｐ２との間（例えば図４中の×印を付した部分）を切断する。これにより、引下線５７Ａが停電する。また、引下線５７Ａの位置Ｐ１と位置Ｐ２との間が切断されたことにより、引下線５７Ａの上端部６３が位置Ｐ２から垂れ下がる。
【００３７】
続いて、作業者は、垂れ下がった引下線５７Ａの上端部６３を絶縁ヤットコで把持し、この引下線５７Ａの上端部６３を、引下線５７Ａに取り付けられた絶縁用器具１１の支持クリップ３１の把持部３２の近傍に運ぶ。続いて、作業者が、当該支持クリップ３１の操作部３３を絶縁ヤットコで把持し、絶縁ヤットコで当該支持クリップ３１の操作部３３を操作し、当該支持クリップ３１の把持部３２を開く。この状態で、作業者は、絶縁ヤットコを動かし、当該支持クリップ３１を揺動または回動させることにより当該支持クリップ３１の姿勢を変え、当該支持クリップの開いた把持部３２間に引下線５７Ａの上端部６３を入れ、当該引下線５７Ａの上端部６３を挟む。その後、作業者は、絶縁ヤットコを操作し、当該支持クリップ３１の把持部３２を閉じる。これにより、図５に示すように、引下線５７Ａの上端部６３が支持クリップ３１の把持部３２に支持される。引下線５７Ａの上端部６３が支持クリップ３１の把持部３２に支持されることにより、垂れ下がった引下線５７Ａの上端部６３が固定される。これにより、引下線５７Ａの上端部６３がぶらぶらと動くために当該引下線５７Ａの切断された端部６３が電線や電気設備の充電部に接触することを確実に防止することができる。
【００３８】
続いて、図５において図示していないが、作業者は、引下線５７Ｂにおいて引下線５７Ａと同様の箇所を切断して引下線５７Ｂを停電させ、切断された引下線５７Ｂの上端部を、引下線５７Ｂに取り付けられた絶縁用器具１１に、当該絶縁用器具１１に設けられた支持クリップ３１を用いて支持する。続いて、作業者は、引下線５７Ｃについても引下線５７Ａ、５７Ｂと同様の作業を行う。
【００３９】
このようにして、引下線５７Ａ、５７Ｂ、５７Ｃを停電させ、かつ引下線５７Ａ、５７Ｂ、５７Ｃの上端部を支持クリップ３１で支持した後、作業者は、変圧器５５またはカットアウト５６を取り替える。
【００４０】
以上説明した通り、本発明の第１の実施形態による絶縁用器具１１によれば、支持クリップ３１が器具本体１２にフレキシブルアーム４１を介して連結されているので、作業者は、絶縁ヤットコで支持クリップ３１の操作部３３を把持した状態で、絶縁ヤットコを動かすことにより、支持クリップ３１を器具本体１２に対して揺動または回動させることができ、支持クリップ３１の姿勢を自在に変え、支持クリップ３１の把持部３２の向きを自在に変更することができる。これにより、作業者は、絶縁ヤットコを動かし、支持クリップ３１で引下線の上端部を容易に挟むことができる。したがって、作業者は、変圧器５５またはカットアウト５６の取替作業を効率良く行うことができる。
【００４１】
また、本発明の第１の実施形態による絶縁用器具１１によれば、支持クリップ３１が器具本体１２に連結されているため、従来のようにクリップを落下させてしまうことがない。したがって、変圧器５５またはカットアウト５６の取替作業の安全性を十分に確保することができる。
【００４２】
また、絶縁用器具１１によれば、支持クリップ３１の操作部３３には広い面積を有する操作面３５が形成されているので、作業者は、絶縁ヤットコで支持クリップ３１の把持部３２の開閉を容易かつ確実に行うことができる。すなわち、作業者が絶縁ヤットコで支持クリップ３１の操作部３３を把持するとき、作業者は、絶縁ヤットコの先端に設けられた挟み部の先端を操作面３５に接触させ、当該挟み部により操作部３３を容易かつ確実に把持することができる。また、支持クリップ３１の操作部３３の面積が広いので、作業者が絶縁ヤットコで操作部３３の操作（具体的には、作業者が絶縁ヤットコのレバーを引いて絶縁ヤットコの挟み部を閉じる方向に動かすことにより操作部３３の操作面３５に力を加え、把持部３２を開く操作）を行うとき、操作途中に、絶縁ヤットコの挟み部の先端が操作面３５から脱落してしまうことを防止することができる。
【００４３】
また、絶縁用器具１１によれば、引下線の上端部を支持する手段としてクリップを用いたことにより、作業者は引下線の上端部を支持する作業を容易かつ確実に行うことができる。また、支持クリップ３１を器具本体１２に対して湾曲可能であり、かつ湾曲状態を保持可能に連結する機能を有する部材としてフレキシブルアームを用いたことにより、当該機能を容易に実現することができる。
【００４４】
図６は本発明の第２の実施形態による絶縁用器具を示している。図６において、図１に示す第１の実施形態による絶縁用器具１１と同一の構成要素には同一の符号を付し、その説明を省略する。
【００４５】
上述した本発明の第１の実施形態による絶縁用器具１１は、図１に示すように、支持クリップ３１が、器具本体１２の中間部に配置された取付クリップ２１に連結されていたが、本発明の第２の実施形態による絶縁用器具６１は、図６に示すように、支持クリップ３１が、器具本体１２において、上部に配置された取付クリップ２１と中間部に配置された取付クリップ２１との間の部分に固定部材６２を介して連結されている。
【００４６】
具体的には、固定部材６２は、絶縁性を有する硬質な材料により形成され、器具本体１２において、上部に配置された取付クリップ２１と中間部に配置された取付クリップ２１との間の部分に配置されている。また、固定部材６２は、一対の板状の部材の一端部を互いに回動可能に連結することによりＶ字状に形成されている。また、固定部材６３は、２つに折られた絶縁シート１３を挟み、その状態で絶縁シート１３の外面および骨材１４に固定されている。さらに、固定部材６２は、当該固定部材６２の上側または下側に配置された取付クリップ２１の把持部２２が開閉し、これに伴い、２つに折られた絶縁シート１３が開閉するとき、絶縁シート１３と共に開閉する。
【００４７】
また、フレキシブルアーム４１の一端側は、第１の実施形態による絶縁用器具１１と同様に支持クリップ３１の操作部２３に固定され、フレキシブルアーム４１の他端側は固定部材６２に固定されている。
【００４８】
このような構成を有する本発明の第２の実施形態による絶縁用器具６１によっても、本発明の第１の実施形態による絶縁用器具１１と同様の作用効果を得ることができる。これに加え、本発明の第２の実施形態による絶縁用器具６１によれば、支持クリップ３１の器具本体１２に対する連結位置を、取付クリップ２１の位置によらず自由に決めることができる。これにより、器具本体１２の長さ方向における支持クリップ３１の位置を任意に設定することができる。
【００４９】
図７は、本発明の第３の実施形態による絶縁用器具を示している。図７において、図１に示す第１の実施形態による絶縁用器具１１と同一の構成要素には同一の符号を付し、その説明を省略する。図７に示すように、本発明の第３の実施形態による絶縁用器具７１は、支持クリップ３１を器具本体１２と連結する連結部として、フレキシブルアーム４１に代え、屈曲アーム７２を備えている。屈曲アーム７２は一対のアーム片７３、７４を備えている。一方のアーム片７３の一端側は支持クリップ３１の操作部２３に接続され、他端側は他方のアーム片７４の一端側に接続されている。また、他方のアーム片７４の他端側は、取付クリップ２１の操作部２３に接続されている。
【００５０】
また、アーム片７３の一端側は、支持クリップ３１に対し、軸線Ｘ１を回動軸として回動することができる。また、アーム片７３の他端側は、アーム片７４の一端側に対し、軸線Ｘ２を回動軸として回動することができる。また、アーム片７４の他端側は、取付クリップ２１に対し、軸線Ｘ３を回動軸として回動することができる。軸線Ｘ１と軸線Ｘ２とは向きが互いに９０度異なり、軸線Ｘ２と軸線Ｘ３とは向きが互いに９０度異なる。これら３つの回動構造により、支持クリップ３１は、器具本体１２に対し、自在に移動することができ、具体的には自在に揺動し、かつ回動することができ、その位置、姿勢および向きを自在に変えることができる。
【００５１】
また、アーム片７３の一端側と支持クリップ３１の操作部２３との間、アーム片７３の他端側とアーム片７４の一端側との間、およびアーム片７４の他端側と取付クリップ２１の操作部２３との間には、作業者が絶縁ヤットコで力を加えなければ動かない程度の大きさの摩擦力がそれぞれ付与されている。これらの摩擦力により、支持クリップ３１の姿勢や向きは、絶縁ヤットコで支持クリップ３１に力を加えることで変えることができるが、支持クリップ３１に外部から力を加えていない間に、支持クリップ３１がその自重により、または支持クリップ３１の自重と当該支持クリップ３１に支持された引下線の自重により動くことはない。
【００５２】
このような構成を有する本発明の第３の実施形態による絶縁用器具７１によっても、本発明の第１の実施形態による絶縁用器具１１と同様の作用効果を得ることができる。
【００５３】
なお、支持クリップ３１を器具本体１２と連結する連結部は、上述したフレキシブルアーム４１および屈曲アーム７２に限らない。例えば、針金等を用いることもできる。
【００５４】
また、本発明の実施形態による絶縁用器具１１、６１、７１は、電柱に支持された変圧器またはカットアウトの取替作業に限らず、他の電気設備または電線の取替、修理、整備、メンテナンスのための間接活線作業にも適用することができる。したがって、支持クリップ３１で支持する対象は引下線の上端部に限らない。
【００５５】
また、本発明は、請求の範囲および明細書全体から読み取ることのできる発明の要旨または思想に反しない範囲で適宜変更可能であり、そのような変更を伴う絶縁用器具もまた本発明の技術思想に含まれる。
【符号の説明】
【００５６】
１１、６１、７１  絶縁用器具
１２  器具本体
１３  絶縁シート
１４  骨材
２１  取付クリップ（取付部）
２２  把持部
２３  操作部
２４  クリップ片
２５  操作面
２６  嵌合部
２７  凹部
３１  支持クリップ（支持部）
３２  把持部
３３  操作部
３４  クリップ片
３５  操作面
３６  凹部
４１  フレキシブルアーム（連結部）
６２  固定部材
７２  屈曲アーム（連結部）
７３、７４  アーム片
【図１】
2015023704.tif 000003
【図２】
2015023704.tif 000004
【図３】
2015023704.tif 000005
【図４】
2015023704.tif 000006
【図５】
2015023704.tif 000007
【図６】
2015023704.tif 000008
【図７】
2015023704.tif 000009